(57)【要約】【課題】収納されたキッチンペーパーの取り出し性に優れるとともに、また、開けた蓋部が開封後当初から起立状態となるように設定し易く、更には確実に起立状態に設定できる衛生薄葉紙収納箱を提供する。【解決手段】後面パネル５に折れ線ａを介して上面パネル３が連設される一方、上面パネルの破断線６に沿って分断された一部が、前記折れ線をヒンジ軸ｈとして後方へ倒れて開状態の蓋部４となる衛生薄葉紙収納箱である。前記ヒンジ軸による閉方向への復元モーメントを弱めて開状態の蓋部を起立状態に維持すべく、前記蓋部は、ヒンジ軸近傍を始端Ｓとしてヒンジ軸を終端Ｅとする幅方向に括れた括れ部６ｂを有し、該始端よりも終端における蓋部幅の方が狭幅に設定されている。【選択図】　　　　　図１
2004018010.tif 000002
【特許請求の範囲】
【請求項１】
後面パネルに折れ線を介して上面パネルが連設される一方、上面パネルの破断線に沿って分断された一部が、前記折れ線をヒンジ軸として後方へ倒れて開状態の蓋部となることを特徴とする衛生薄葉紙収納箱。
【請求項２】
前記ヒンジ軸による閉方向への復元モーメントを弱めて開状態の蓋部を起立状態に維持すべく、前記蓋部は、ヒンジ軸近傍を始端としてヒンジ軸を終端とする幅方向に括れた括れ部を有し、該始端よりも終端における蓋部幅の方が狭幅に設定されていることを特徴とする請求項１に記載の衛生薄葉紙収納箱。
【請求項３】
前記蓋部は、前記上面パネルに折れ線を介して連設する前面パネルにまで跨って形成されていることを特徴とする請求項１または２のいずれかに記載の衛生薄葉紙収納箱。
【請求項４】
前記上面パネルにおける破断線は、前記蓋部の側縁における前面パネル寄りの部分に凹または凸状の第１係合部を形成するように設定されており、前記蓋部を破断形成後に残存する上面パネルの両側縁部には、前記第１係合部の破断跡部として凸または凹状の第２係合部が対応形成され、
該第１係合部と第２係合部とは、前記蓋部の閉止状態において互いに係合することを特徴とする請求項１〜３のいずれかに記載の衛生薄葉紙収納箱。
【請求項５】
前記蓋部の先端には、指掛用凹部を形成するための切取線が設定されていることを特徴とする請求項１〜４のいずれかに記載の衛生薄葉紙収納箱。
【請求項６】
前記衛生薄葉紙収納箱は、坪量が３００〜４５０ｇ／ｍ２の厚紙から形成される一方、ヒンジ軸からの蓋部の重心距離は３〜７ｃｍであり、ヒンジ軸の単位長さに対する蓋部重量は１．０〜１．５ｇ／ｃｍであることを特徴とする請求項１〜５のいずれかに記載の衛生薄葉紙収納箱。
【発明の詳細な説明】
【０００１】
【産業上の利用分野】
本発明はキッチンペーパー等の衛生薄葉紙収納箱に関する。
【０００２】
【従来の技術】
従来から、キッチンペーパー等の家庭用衛生薄葉紙収納箱には、図８の側面図に示すような直方体の紙箱１１が使用されている。そして、その前面パネル９と上面パネル３とに跨る一部が、破断線に沿って分断開封されて、もって当該一部４が、上面パネル３との折れ線ｋをヒンジ軸ｈとして開閉可能な蓋部４となるようになっている。開封後は、この蓋部４を適宜開閉して、箱内に折り畳まれて収納された複数枚のシート状キッチンペーパーを一枚ずつ取り出して使用する。
【０００３】
【発明が解決しようとする課題】
しかしながら、この収納箱１１は、蓋部４のヒンジ軸ｈを上面パネル３に有するために前記蓋部４が小さくなってしまい、もって、中に収納されたキッチンペーパーを取り出し難いという問題があった。
【０００４】
また、キッチンペーパーは調理中での使用が多いため、片手で取り出せるように、蓋部４を開いた状態に維持できるのが好ましい一方、調理の際に飛散した油や水等からキッチンペーパーを適宜保護すべく、開状態の蓋部４はすぐ閉められるような位置にあるのが好ましい。すなわち、具体的には、開いた蓋部４が起立状態を維持できるのが望ましい。そして、この起立状態は、後方へ傾倒した蓋部４重心Ｐに作用する自重Ｗによるヒンジ軸ｈ周りの傾倒モーメントＭｗと、ヒンジ軸ｈ自体の剛性による前方への復元モーメントＭｈとがバランスした時に達成される。
【０００５】
しかしながら、特に開封後の当初においては、前記ヒンジ軸ｈ自体の剛性が強いことに加えて、ヒンジ軸ｈを挟んで形成される、蓋部４とこれを支える上面パネル３との間の夾角αが鋭角になっており、前記傾倒モーメントＭｗに比べて復元モーメントＭｈが大きくなり過ぎる。このため、蓋部４をヒンジ軸ｈ中心に後方へ倒して開けても、閉方向に戻されてしまい起立状態を維持させることは困難であり、キッチンペーパーの取り出しの都度、蓋部４を開けなければならず、その使用は甚だ不便であった。
【０００６】
また、キッチンペーパーの製造メーカー側としても、収納箱のモデルチェンジの度に、起立状態を達成可能な蓋部を設計しようとするが、蓋部形状は主に意匠性やキッチンペーパーの取り出し性等から定まってしまうため、蓋部形状の変化を伴う前記蓋部自重Ｗおよび重心位置Ｐによる調整は行い難い。一方、ヒンジ軸ｈの剛性は、紙の坪量により変更可能であるが、この変更に伴い蓋部重量Ｗも変化してしまうため、その調整も甚だ困難であった。
【０００７】
本発明はかかる従来の課題に鑑みて成されたもので、収納されたキッチンペーパーの取り出し性に優れるとともに、また、開けた蓋部が開封後当初から起立状態となるように設定し易く、更には確実に起立状態に設定できる衛生薄葉紙収納箱を提供することを目的とする。
【０００８】
【課題を解決するための手段】
かかる目的を達成するために請求項１に示す発明は、衛生薄葉紙収納箱において、後面パネルに折れ線を介して上面パネルが連設される一方、上面パネルの破断線に沿って分断された一部が、前記折れ線をヒンジ軸として後方へ倒れて開状態の蓋部となることを特徴とする。
【０００９】
上記発明によれば、上面パネルと後面パネルとの間の角部としての折れ線をヒンジ軸とすることにより蓋部を大きく形成することができて、当該収納箱内に収納された衛生薄葉紙の取り出しが容易となる。
【００１０】
また、上面パネルと後面パネルとの間の角部としての折れ線をヒンジ軸としているので、蓋部を後方へ倒し易くなる。この理由は、前記蓋部が後方へ倒れた状態において、ヒンジ軸を挟んで形成される、蓋部とこれを支持する後面パネルとの間の夾角が鈍角となっているために、ヒンジ軸から付与される閉方向の付勢力が小さくなるからである。よって、開封後当初から蓋部を起立状態に維持させ易い。
【００１１】
請求項２に示す発明は、請求項１に記載の衛生薄葉紙収納箱において、衛生薄葉紙収納箱において、前記ヒンジ軸による閉方向への復元モーメントを弱めて開状態の蓋部を起立状態に維持すべく、前記蓋部は、ヒンジ軸近傍を始端としてヒンジ軸を終端とする幅方向に括れた括れ部を有し、該始端よりも終端における蓋部幅の方が狭幅に設定されていることを特徴とする。
【００１２】
上記発明によれば、蓋部は、ヒンジ軸近傍を始端としてヒンジ軸を終端とする幅方向に括れた括れ部を有する一方、該始端よりも終端における蓋部幅の方が狭幅に設定されているので、この終端での蓋部幅たるヒンジ軸長さを短くする方向には自由に調整できて、もってヒンジ軸剛性による閉方向への復元モーメントを弱める方向に自在に調整することができる。そして、この調整の際には、ヒンジ軸近傍の括れ部のみが変化するため、蓋部形状はほぼ変化しない。よって、蓋部重量および重心位置に基づく傾倒モーメントはほぼ一定に維持しつつ、ヒンジ軸剛性に基づく復元モーメントだけを独立に変更することができて、もって起立状態に容易に設定することができる。
【００１３】
また、前記括れ部は、前記始端から終端までの所定範囲に亘って形成されているので、この所定範囲の間にて、蓋部幅を連続的かつなだらかに狭くしていくことができる。よって、括れ部における破断線も連続的かつなだらかに設定できて、もって蓋部の分断開封時に破断線を円滑に切断できて開封し易い。
【００１４】
請求項３に示す発明は、請求項１または２のいずれかに記載の衛生薄葉紙収納箱において、前記蓋部は、前記上面パネルに折れ線を介して連設する前面パネルにまで跨って形成されていることを特徴とする。
【００１５】
上記発明によれば、前記蓋部は前面パネルに跨って形成されているので、蓋部を開けて形成される取出口を大きくすることができて、箱内に収納された衛生薄葉紙を取り出し易い。
【００１６】
請求項４に示す発明は、請求項１〜３のいずれかに記載の衛生薄葉紙収納箱において、前記上面パネルにおける破断線は、前記蓋部の側縁における前面パネル寄りの部分に凹または凸状の第１係合部を形成するように設定されており、前記蓋部を破断形成後に残存する上面パネルの両側縁部には、前記第１係合部の破断跡部として凸または凹状の第２係合部が対応形成され、該第１係合部と第２係合部とは、前記蓋部の閉止状態において互いに係合することを特徴とする。
【００１７】
上記発明によれば、蓋部に形成された第１係合部と、上面パネルの両側縁部に形成された第２係合部とが蓋部の閉止状態において係合するので、前記ヒンジ軸の折り癖に起因して浮き上がろうとする蓋部をしっかりと閉じることができて、もって箱内の衛生薄葉紙を衛生的に保つことができる。
【００１８】
請求項５に示す発明は、請求項１〜４のいずれかに記載の衛生薄葉紙収納箱において、前記蓋部の先端には、指掛用凹部を形成するための切取線が設定されていることを特徴とする。
【００１９】
上記発明によれば、蓋部を破断形成後は、前記指掛用凹部に指を引っかけることにより、前記蓋部を指一本で開けることが可能となる。
【００２０】
請求項６に示す発明は、請求項１〜５のいずれかに記載の衛生薄葉紙収納箱において、前記衛生薄葉紙収納箱は、坪量が３００〜４５０ｇ／ｍ２の厚紙から形成される一方、ヒンジ軸からの蓋部の重心距離は３〜７ｃｍであり、ヒンジ軸の単位長さに対する蓋部重量は１．０〜１．５ｇ／ｃｍであることを特徴とする。
【００２１】
上記発明によれば、一般的な衛生薄葉紙収納箱、つまり３００〜４５０ｇ／ｍ２の坪量の厚紙製でかつヒンジ軸からの蓋部の重心距離が３〜７ｃｍであるような収納箱に関しては、開封後の当初から、開状態の蓋部を確実に起立状態に設定することができる。
【００２２】
すなわち、蓋部が最も起立角度が小さく起きた状態で起立するケースである、坪量が小さい３００ｇ／ｍ２の厚紙からなり、かつ重心距離が小さい３ｃｍというケースにあっても、ヒンジ軸の単位長さに対する蓋部重量の比率を１．０ｇ／ｃｍ以上にしているので、開状態の蓋部自重による傾倒モーメントＭｗをヒンジ軸の剛性による復元モーメントＭｈに匹敵させる程度に大きくできて、もって蓋部は閉まること無く起立状態にすることができる。一方、蓋部が最も後方へ傾いて寝やすいケースである、坪量が大きい４５０ｇ／ｍ２の厚紙からなり、かつ重心距離が大きい７ｃｍというケースにあっても、前記比率を１．５ｇ／ｃｍ以下にしているので、開状態の前記傾倒モーメントＭｗが前記復元モーメントＭｈよりも大きくなりすぎないようにできて、もって蓋部が後方へ大きく倒れてしまうことを防止できる。
【００２３】
【発明の実施の形態】
以下、本発明に係る実施形態を添付図面を参照して詳細に説明する。
図１は本発明の第１実施形態としての衛生薄葉紙収納箱の蓋部を開けた状態での斜視図、図２は開封前の衛生薄葉紙収納箱の斜視図、図３は蓋部を開けた状態での衛生薄葉紙収納箱の側面図である。また、図４は前記衛生薄葉紙収納箱用ブランクの展開図である。
【００２４】
図１に示す本実施形態に係る収納箱１は、坪量が３００〜４５０ｇ／ｍ２の厚紙（化学パルプ、またははり合わせ板紙からなる紙）からなり、組立後には、幅が２５０ｍｍ、奥行が１２０ｍｍ、そして高さが８０ｍｍの直方体形状になるものである。
【００２５】
この箱内には、２枚重ねを一組とする１９８×２２９ｍｍの矩形状キッチンペーパーが二つ折りの状態で、高さ方向に例えば７５組が重ねられて収納されている。そして、前記収納箱１に設定された後記破断線６に沿って、前面パネル９と上面パネル３とに跨る蓋部４を分断形成して開封し、開封後は、この蓋部４を適宜開閉してキッチンペーパーを一枚ずつ取り出せるようになっている。
尚、上記寸法は代表値であって、適宜変更しても良いのは言うまでもない。
【００２６】
この収納箱１のブランクを図４に示すが、このブランクは、長方形の上面パネル３の長辺の一方に折れ線ａ，ｂを介して、後面パネル５および底面パネル７がこの順に連設される一方、前記上面パネル３のもう一方の長辺に折れ線ｃ，ｄを介して前面パネル９および糊代片１１がこの順に連設され、また上面パネル３、後面パネル５、底面パネル７、および前面パネル９の残る両辺のそれぞれに折り込みフラップＦ３，Ｆ５，Ｆ７，Ｆ９が連設された構成となっている。
【００２７】
尚、前記折れ線ａ，ｂ，ｃ，ｄには折れ易くするため、ステンレス刃厚さ１．６ｍｍを押し込み深さ０．３ｍｍで型押しして加工した罫線が引かれている。この罫線は、折れ線に適度な折れ曲がり易さを与えるとともに、１５０回（シート入り数５０〜１５０組）程度の開閉に対しても安定した折れ曲がりの復元モーメントを与えることができるものである。
【００２８】
このうちの前面パネル９および上面パネル３の両者には、これらに跨る蓋部４を分断形成するための破断線６たるミシン目が、両パネル９，３の幅方向の中央線に関して線対称に設定されている。
【００２９】
この破断線６の外観は、トランプのスペードマークの上部を水平に裁断してなる裁頭スペードマーク状を呈しており、そのスペードマーク６の上部側が前面パネル９に位置し、スペードマーク６の下部側が上面パネル３に位置するように描かれている。但し、前記折れ線ａ上に位置するスペードマーク６の下端縁６ａにはミシン目は設定されず、もってこの下端縁６ａは、図１に示す開封後においては蓋部４を開閉するためのヒンジ軸ｈとして機能する。
【００３０】
尚、図１に示すように、この蓋部４の分断形成後にあっても、前面パネル９の下端部９ａおよび両側縁部９ｂと、上面パネル３の両側縁部３ｂとは収納箱１側に残存するようになっており、もって蓋部４を開けた状態でも収納箱１は、箱内のキッチンペーパーを確実に保持するようになっている。
【００３１】
ここで、図４に示すように前記破断線６たる裁頭スペードマーク６の括れ部６ｂは、前記ヒンジ軸ｈ近傍を始端Ｓとしヒンジ軸ｈを終端Ｅとするように形成されている。そして、この括れ部６ｂにおける蓋部幅は、前記始端Ｓよりも終端Ｅにおける方が狭幅に設定されている。よって、この終端Ｅの蓋部幅たるヒンジ軸長さは、短くする方向について何等拘束条件なく自在に設定することができる。
【００３２】
また、この設定の際には、この設定値によってはヒンジ軸ｈ近傍の括れ部６ｂのみが変化するだけであり、蓋部４の全体形状は概ね変化しない。よって、蓋部重量Ｗおよび重心位置Ｐに基づく傾倒モーメントＭｗはほぼ一定に維持しつつ、ヒンジ軸剛性に基づく復元モーメントＭｈだけを独立に変更することができる。この結果、ヒンジ軸長さという一つのパラメータに対して一対一対応で、図３に示す開状態の蓋部４の起立角度θを変化させることができて、もって所望の起立角度θを満足する破断線６を簡単に見出すことができる。
【００３３】
例えば、蓋部４の起立角度θを緩やかに、すなわち蓋部４を若干寝かせた状態で起立させたければ、ヒンジ軸長さを短くしてヒンジ軸ｈの剛性を弱めれば良い一方、逆に起立角度θを急にしたければ、ヒンジ軸長さを長くしてその剛性を強めれば良い。
【００３４】
また、図４に示すように、前記括れ部６ｂは、前記始端Ｓから終端Ｅまでの所定範囲に亘って形成されているので、この所定範囲の間にて、蓋部幅を連続的かつなだらかに狭くしていくことができる。よって、括れ部６ｂにおける破断線６も連続的かつなだらかに設定できて、もって蓋部の分断開封時に破断線６を円滑に切断できて開封し易い。
【００３５】
同図に示すように前記裁頭スペードマークの破断線６は、前面パネル９との折れ線ｃ近傍においても蓋部幅が括れるように設定されている。そして、図１に示す開封後には、この括れ部は、蓋部４の両側縁に凹状の第１係合部４ｃを、また上面パネル３の両側縁部３ｂには、第１係合部４ｃの破断跡部としての凸状の第２係合部３ｃを形成するようになっている。この第１および第２係合部４ｃ，３ｃは、閉じた蓋部４を閉止状態に維持するためのロック機構である。つまり、蓋部４を閉じた際には、凸状第２係合部３ｃの下方に、蓋部４の凹状第１係合部４ｃが入り込んで軽く引っかかり、もって蓋部４はしっかりと閉止されるようになっている。
【００３６】
図４に示すように前記裁頭スペードマークの破断線６の裁頭縁６ｄは、前面パネル９の下端縁９ｄと平行に、かつ所定間隔をもって描かれている。この載頭縁６ｄの幅中心には、開閉操作用の指掛用凹部４ｅを蓋部４先端に形成すべく、載頭縁６ｄから分岐する半円形状切取線６ｅがミシン目にて設定されている。
【００３７】
次に、このブランクを収納箱１に組み立てる手順について説明する。
先ず、図４に示す折れ線ｂ，ｃのところで折ってブランクを平坦な三つ折り状態にしつつ、前記糊代片１１を底面パネル７に接着する。そして、これを折れ線ａ，ｂ，ｃ，ｄにより四角筒状に起こした後、この四角筒体のいずれか一方の開口の折れ込みフラップＦ３，Ｆ５，Ｆ７，Ｆ９を折り込んで接着し側面開口を閉鎖する。次いで、残る他方の開口から、キッチンペーパーの束を充填した後、他方の開口の折れ込みフラップＦ３，Ｆ５，Ｆ７，Ｆ９を折り込んで接着し側面開口を閉鎖する。そして、図２に示すようなキッチンペーパーを収納した収納箱１ができあがる。
【００３８】
次に、この収納箱１の開封手順について説明する。
この収納箱１を開封するには、図２に示す指掛用凹部の切取線６ｅに指を押し込んで指掛用凹部４ｅを開ける一方、その指先で指掛用凹部４ｅを上方へ引き上げる。すると、前記破断線６に沿って、蓋部先端から折れ線ａに至るまでの部分が順次分断して、つまり図１に示すように蓋部４が、前面パネル９および上面パネル３の両側縁部等９ａ，９ｂ，３ｂを残しつつ分離して、もって前記折れ線ａをヒンジ軸ｈとして開閉する蓋部４が形成される。
【００３９】
そして、この開封後は前記指掛用凹部４ｅに指を引っかけることにより、前記蓋部４を指一本で開けることが可能となる。
【００４０】
また、上面パネル３と後面パネル５との間の角部としての折れ線ａを蓋部４のヒンジ軸ｈとして使用しているので、蓋部４を大きく形成することができて、当該収納箱１内に収納された衛生薄葉紙の取り出しが容易となる。
【００４１】
更に、前記折れ線ａをヒンジ軸ｈとしているので、蓋部４を後方へ倒し易くなっている。この理由は、図３に示すような前記蓋部４が後方へ倒れた状態において、ヒンジ軸ｈを挟んで形成される、蓋部４とこれを支持する後面パネル５との間の夾角αが鈍角となっているために、ヒンジ軸ｈから付与される閉方向の付勢力が小さくなるからである。よって、開封後当初から蓋部４を起立状態に維持させ易くなっている。また、これに加えて、前述したように、この蓋部４は、予めヒンジ軸長さの設定によってヒンジ軸ｈの剛性を弱める調整がなされているので、開封後の当初から、図３に示すように、後方へ倒した蓋部４の自重Ｗによる傾倒モーメントＭｗとヒンジ軸ｈの剛性による前方への復元モーメントＭｈとをバランスさせることができて、もって後方へ倒した蓋部４を起立状態に維持可能となっている。
【００４２】
尚、前記ヒンジ軸ｈは、図２に示すように収納箱１の角部としても機能しているため、通常このヒンジ軸ｈには蓋部４を閉じる方向の折り癖がついているが、その場合には、その折り癖分だけ余分にヒンジ軸長さを短くすれば良い。
【００４３】
また、ヒンジ軸長さを短くすれば、ヒンジ軸周りの蓋部４の慣性モーメントもヒンジ軸ｈの剛性に対して相対的に大きくすることができるので、蓋部４を開ける際に勢いよく動的に蓋部４を後方へ倒した場合にあっても、後方へ倒れた蓋部４は、その大きな慣性モーメントによって前方へと復帰し難く、もって起立状態を安定化することができる。
【００４４】
図５は本発明に係る第２実施形態の衛生薄葉紙収納箱を形成するブランクの展開図である。尚、前記第１実施形態形と同一構成部分には同一符号を付して重複する説明は省略する。
【００４５】
前記第１実施形態は、蓋部４を分断形成するための破断線６を裁頭スペードマーク状に形成したところ、本第２実施形態は略八角形状に形成している点で主に相違する。
つまり、図５に示すように、破断線１６は、前面パネル９と上面パネル３とに跨って八角形に描かれており、そのうちの一辺１６ａを、ヒンジ軸ｈとしての折れ線ａに一致させて設定されている。そして、この一辺の両端に連続する両辺１６ｂが、蓋部幅を狭める括れ部１６ｂとなっている。
【００４６】
また、第１実施形態では、蓋部４の第１係合部４ｃを凹状に形成する一方、上面パネルの両側縁部３ｂの第２係合部３ｃを凸状に形成したが、本第２実施形態にあっては、これとは逆に蓋部１４の第１係合部１４ｃを凸状にする一方、両側縁部１３ｂの第２係合部１３ｃを凹状にしている。そして、この構成によれば、蓋部１４を開けた際の取出口には凸部が無いので、箱内のキッチンペーパーを取り出し易くなる。
【００４７】
ここで、本発明に係る衛生薄葉紙収納箱の蓋部４を、開封後の当初から確実に起立状態にできて、しかも閉め易い位置に起立させることが可能な蓋部４の設定条件について説明する。この設定条件とは、具体的には、ヒンジ軸ｈの単位長さに対する蓋部重量を１．０〜１．５ｇ／ｃｍの範囲にすることであり、この条件を、本願発明者は以下の検討を通して知得した。
【００４８】
尚、この検討に際して、本発明に係る衛生薄葉紙収納箱、つまり前記折れ線ａをヒンジ軸ｈとして上面パネル３の一部が蓋部４として開閉するタイプの収納箱１に関する設定予定の諸条件を調べた。その結果、使用予定の紙は厚紙が多く、その坪量は通常３００〜４５０ｇ／ｍ２、好ましくは３３０〜４３０ｇ／ｍ２の範囲である一方、図３に示すヒンジ軸ｈからの蓋部４までの重心距離Ｌは、３〜７ｃｍの範囲であった。また、守秘義務を課しながらこの収納箱１を１００名に使用してもらいアンケートした結果、起立状態における蓋部４の起立角度θは、蓋部４の閉止状態を０°とした場合には、そこから１２０〜１６０°の範囲にあるのが閉め易いこともわかった。
【００４９】
そこで、前記坪量範囲の厚紙製でかつ前記重心距離範囲の蓋部４を備えた収納箱１に関して、開封後当初から１２０〜１６０°の起立角度θにすることが可能な、ヒンジ軸の単位長さに対する蓋部重量の比率（ｇ／ｃｍ）を検討した。
【００５０】
先ずその検討手順を説明する。
【００５１】
▲１▼　図６に示すような後面パネルと蓋部とを模擬した模擬部材２１を、長方形の厚紙を罫線にて直角に折り曲げて作成する。尚、この模擬部材２１は、後記実験水準に準じて複数種類用意する。また、前記罫線は、通常のステンレス刃厚さ１．６ｍｍを押し込み深さ０．３ｍｍで型押しして加工したものである。罫線の入れ方が強すぎると、紙の繊維がきれてしまい、繰り返し使用した場合ヒンジ軸の剛性が最終の使用まで維持できない。また罫線の入れ方が弱すぎると、罫線で綺麗に折れ曲がることができなくなる。前記罫線は適度な折れ曲がり易さを与えるとともに、１５０回（シート入り数５０〜１５０組）程度の開閉に対しても安定した折れ曲がりの復元モーメントを与えることができるものである。
【００５２】
▲２▼開封前の状態を摸擬して、後面パネル模擬部２５を鉛直に支持し、これにヒンジ軸ｈを介して連設された蓋部模擬部２４を、図中実線で示すように水平にする。
【００５３】
▲３▼そして、この状態の蓋部摸擬部２４の起立角度θを０°として、開封作業を想定して、図中の二点鎖線のように蓋部摸擬部２４をヒンジ軸ｈ周りに後方へ１８０°まで倒した後、蓋部を閉じた状態を想定して再度起立角度θを０°にする。
【００５４】
▲４▼次ぎに、開封後の蓋部を開ける操作を想定して、蓋部摸擬部２４を後方へ１５０°まで倒した後、図中の一点鎖線のように、蓋部摸擬部２４から手を離して安定したら、その時の起立角度θを記録する。
【００５５】
尚、実験水準は次のように設定した。ヒンジ軸ｈの剛性に影響を与える坪量に関しては３３０ｇ／ｍ２および４３０ｇ／ｍ２の２水準とし、それぞれの坪量の厚紙を用意した。また、ヒンジ軸ｈからの蓋部模擬部２４の重心距離Ｌについては、３および７ｃｍの２水準とし、前記各厚紙から、前記２水準の模擬部材２１を作成した。そして、これら摸擬部材２１のそれぞれについて、ヒンジ軸長さに対する蓋部重量Ｗの比率を０．８〜２．０ｇ／ｃｍまで振って、この比率と起立角度θとの関係を調べた。尚、この比率の変更は、ヒンジ軸ｈの両端縁に切り込みを入れてヒンジ軸ｈの有効長さを変えることにより行った。
【００５６】
図７は、実験結果たる、ヒンジ軸単位長さに対する蓋部模擬部（以下では蓋部と記す）重量の比率と、起立角度θとの関係を示す図である。尚、図７（ａ）に３３０ｇ／ｍ２の結果を、図７（ｂ）に４３０ｇ／ｍ２の結果をそれぞれ示す。
図７より、全体的な傾向としては、ヒンジ軸単位長さに対する蓋部重量の比率が０．８から２．０へと大きくなるにつれて、起立角度θが大きくなる、つまり蓋部が後方へ倒れて寝てくるのがわかる。これは、前記比率が大きくなるにつれて、蓋部重量Ｗによる傾倒モーメントＭｗが、ヒンジ軸の剛性による復元モーメントＭｈに対して相対的に大きくなるからである。また、重心距離Ｌが３から７ｃｍに大きくなると、前記傾倒モーメントＭｗが大きくなるため、蓋部の起立角度θは更に大きくなる、つまり更に後方へ寝るようになっている。更に、図７（ａ）と図７（ｂ）との対比から、坪量が３３０ｇ／ｍ２よりも４３０ｇ／ｍ２の方が起立角度θは大きいことがわかる、つまり蓋部が寝た状態になることがわかる。これは坪量が大きくなることに伴う、ヒンジ軸ｈたる折れ線の剛性の増加よりも、蓋部重量Ｗの増加による傾倒モーメントＭｗの増加の方が大きいためであると考えられる。
【００５７】
これらの図から起立角度θが１２０〜１６０°の範囲となる前記比率を読みとると、坪量が３３０ｇ／ｍ２に関して、重心距離が３〜７ｃｍに亘って常に起立角度θが１２０〜１６０°の範囲に入る前記比率は、０．９５〜１．６３ｇ／ｃｍの範囲である。一方、坪量が４３０ｇ／ｍ２に関して、重心距離が３〜７ｃｍに亘って常に起立角度θが１２０〜１６０°の範囲に入る前記比率は、０．９６〜１．５５ｇ／ｃｍの範囲である。
【００５８】
よって、坪量が３３０〜４３０ｇ／ｍ２かつ重心距離が３〜７ｃｍであるような収納箱については、前記二つの最適比率範囲の交わり範囲である０．９６〜１．５５ｇ／ｃｍに設定すれば、蓋部の起立角度θを常に１２０〜１６０°の範囲に収めることができることが判明した。更に坪量３００ｇ／ｍ２及び４５０ｇ／ｍ２についても同様の実験を行い、ヒンジ軸の単位長さに対する蓋部重量の比率は、１．０〜１．５ｇ／ｃｍと判明した。
【００５９】
そして、上記最適比率の範囲を知っていれば、蓋部の破断線を設定する際には、所望の蓋部重量から必要なヒンジ軸長さを容易に算出することができる。そして、このヒンジ軸長さになるように、前記括れ量を設定すれば、簡単に蓋部の起立角度θを最適値に設定することができる。
【００６０】
以上、本発明に係る実施形態について説明したが、本発明は、かかる実施形態に限定されるものではなく、その要旨を逸脱しない範囲で以下に示すような変形が可能である。
本実施形態においては、蓋部４，１４の破断線６，１６形状として、裁頭スペードマークおよび八角形を例示したが、蓋部幅がヒンジ軸ｈ近傍からヒンジ軸ｈにかけて括れていればこれに限るものではない。
【００６１】
本実施形態においては、収納される衛生薄葉紙としてキッチンペーパーを例示したが、これに限るものではなく、ティッシュペーパーを収納しても良い。また、キッチンペーパーとして矩形シート、すなわち枚葉物を例示したが、これに限るものではなく、キッチンペーパーをロール状に巻いた巻物を収納しても良い。
【００６２】
本実施形態においては、収納箱１の素材として厚紙を例示したが、場合によっては段ボール（ボール紙）であっても良い。更には合成樹脂フィルムをラミネートしてなる複合紙を用いることもできる。
【００６３】
【発明の効果】
以上説明したように、本発明によれば、収納されたキッチンペーパーの取り出し性に優れるとともに、また、開けた蓋部が開封後当初から起立状態となるように設定し易く、更には確実に起立状態に設定できる衛生薄葉紙収納箱を提供することができる。
【図面の簡単な説明】
【図１】本発明に係る第１実施形態の衛生薄葉紙収納箱の斜視図であって、その蓋部を開けた状態を示す。
【図２】開封前における第１実施形態の衛生薄葉紙収納箱の斜視図である。
【図３】第１実施形態の衛生薄葉紙収納箱の側面図であって、その蓋部を開けた状態を示す。
【図４】第１実施形態の衛生薄葉紙収納箱用ブランクの展開図である。
【図５】本発明に係る第２実施形態の衛生薄葉紙収納箱用ブランクの展開図である。
【図６】後面パネルと蓋部とを模擬した模擬部材を示す側面図である。
【図７】ヒンジ軸単位長さに対する蓋部重量の比率と、起立角度θとの関係を示す図であって、図７（ａ）に坪量が３３０ｇ／ｍ２の結果を、図７（ｂ）に４３０ｇ／ｍ２の結果をそれぞれ示す。
【図８】従来の衛生薄葉紙収納箱の側面図であって、その蓋部を開けた状態を示す。
【符号の説明】
１　衛生薄葉紙収納箱
３　上面パネル
４　蓋部
５　後面パネル
６　破断線
６ｂ　括れ部
Ｓ　始端
Ｅ　終端
ａ〜ｄ　折れ線
ｈ　ヒンジ軸
【図１】
2004018010.tif 000003
【図２】
2004018010.tif 000004
【図３】
2004018010.tif 000005
【図４】
2004018010.tif 000006
【図５】
2004018010.tif 000007
【図６】
2004018010.tif 000008
【図７】
2004018010.tif 000009
【図８】
2004018010.tif 000010